(57)【要約】【課題】受水槽の水位を一定に保って安定よく水を供給することができ、また地下水を利用して水道料金を抑えることができるようにする。【解決手段】受水槽１に地下水や水道水等の水を給水して溜め、受水槽１に溜めた水を受水槽１からポンプ２にて施設に供給する水の供給方法である。これにおいて、受水槽１から施設に供給する水量を監視し、この施設に供給する水量と同じ水量の水を受水槽１に給水するように地下水や水道水等の水の給水量を制御する。【選択図】　　　　図１
2004011309.tif 000002
【特許請求の範囲】
【請求項１】
受水槽に地下水や水道水等の水を給水して溜め、受水槽に溜めた水を受水槽からポンプにて施設に供給する水の供給方法において、受水槽から施設に供給する水量を監視し、この施設に供給する水量と同じ水量の水を受水槽に給水するように地下水や水道水等の水の給水量を制御することを特徴とする水の供給方法。
【請求項２】
受水槽に少なくとも地下水を給水する地下水給水管と水道水を給水する水道水給水管とを導入し、地下水給水管及び水道水給水管に夫々流量を制御する可変式電動弁を配設し、受水槽に溜めた水を施設に供給するための水供給管を受水槽から導出し、水供給管に水を送水するポンプと水供給管を流れる水量を検知する流量計を配置し、水供給管で供給される水量と同じ水量の水が受水槽に供給されるように地下水給水管及び水道水給水管の可変式電動弁の開度を制御するようにしたことを特徴とする水の供給装置。
【請求項３】
廃水を浄化処理した中水を供給する中水給水管も受水槽に導入し、中水給水管にも可変式電動弁を配設し、水供給管で供給される水量に応じて中水給水管の可変式電動弁の開度を制御するようにしたことを特徴とする請求項２記載の水の供給装置。
【発明の詳細な説明】
【０００１】
【発明の属する技術分野】
本発明は、ビル、デパート、スーパーマーケット、量販店、学校、病院、プールその他の水を大量に使用する施設に水を供給するのに用いる水の供給方法及びその装置に関するものである。
【０００２】
【従来の技術】
一般に、水を大量に使用する施設に水を安定よく供給するためには、大容量の受水槽に水を一旦溜め、受水槽に溜めた水をポンプで施設に送水することが行われている。
【０００３】
また水を大量に使用する施設ではこの水を水道水で賄おうとすると水道料金が大幅にかさむという問題があり、この問題を解消するために地下水を利用することも広く行われている。地下水だけで水の供給を賄うと、水道料金がかからなくなるが、地下水だけでは供給が安定せず、その保証として水道水を利用することが行われている。
【０００４】
この種の従来例としては特許第３２３００８５号に開示されるものがある。これは水を溜める受水槽に地下水給水管と水道水給水管とを導入してあり、受水槽に地下水や水道水を給水して溜めることができるようになっている。また受水槽から施設に水を供給する水供給管を導出し、ポンプ等で施設に水を供給できるようになっている。かかる装置では、地下水が優先的に使用されるものであり、受水槽１の水面のレベルを高い順に図４に示すようにＬ１，Ｌ２，Ｌ３，Ｌ４としたとき、Ｌ２まで水面が下がったとき、地下水給水管からの給水が開始されて地下水が優先的に供給され、水面がＬ１まで復帰したとき地下水の給水が停止されるようになっている。また地下水の供給不作動のときや地下水の給水が不足したときで、水面がＬ４まで下がると水道水の給水が開始され、水面がＬ３まで上がると、水道水の給水が停止されるようになっている。
【０００５】
【発明が解決しようとする課題】
上記の従来例では地下水を優先して使用できるために水道水の使用を抑えることができるが、受水槽への給水は受水槽の水位が一定以上下がったとき行われるようになっているために水供給管から施設に水を供給するときの受水槽の水位変動が大きくてポンプによる送水が安定よく行うことができず、必要な箇所に必要な量の水を安定よく供給できないという問題がある。つまり、受水槽の水位が変ると水頭圧が変り、ポンプの能力が一定でも送水量が変って安定した水量の供給ができない。
【０００６】
本発明は上記の点に鑑みてなされたものであり、受水槽の水位を一定に保って安定よく水を供給することができ、また地下水を利用して水道料金を抑えることができる水の供給方法及びその装置を提供することを課題とするものである。
【０００７】
【課題を解決するための手段】
上記課題を解決するための本発明の水の供給方法は、受水槽１に地下水や水道水等の水を給水して溜め、受水槽１に溜めた水を受水槽１からポンプ２にて施設に供給する水の供給方法において、受水槽１から施設に供給する水量を監視し、この施設に供給する水量と同じ水量の水を受水槽１に給水するように地下水や水道水等の水の給水量を制御することを特徴とする。受水槽１から施設に供給する水量を監視してこの水量に応じて地下水や水道水を受水槽１に給水するために受水槽１の水位の変動が少なく、ポンプ２にて施設に水を供給するとき必要とする箇所に必要なだけ安定よく供給できる。このとき受水槽１に地下水を主に供給するようにすると、水道水の使用量を少なくして水道量料金を抑えることができる。
【０００８】
また本発明の水の供給装置は、受水槽１に少なくとも地下水を給水する地下水給水管３と水道水を給水する水道水給水管４とを導入し、地下水給水管３及び水道水給水管４に夫々流量を制御する可変式電動弁５を配設し、受水槽１に溜めた水を施設に供給するための水供給管６を受水槽１から導出し、水供給管６に水を送水するポンプ２と水供給管６を流れる水量を検知する流量計７を配置し、水供給管６で供給される水量と同じ水量の水が受水槽１に供給されるように地下水給水管３及び水道水給水管４の可変式電動弁５の開度を制御するようにしたことを特徴とする。ポンプ２を駆動して水供給管６にて施設に水を供給するとき供給する水の水量が流量計７で検知され、この水量に応じて地下水給水管３や水道水給水管４の可変式電動弁５の開度が調整されて給水され、受水槽１の水位が一定に保たれる。これにより受水槽１の水位変動が少なく、ポンプ２にて施設に水を供給するとき必要とする箇所に必要なだけ安定よく供給できる。このとき、地下水給水管３から主に地下水を供給するように制御すると、水道水の使用量を少なくして水道料金を抑えることができる。
【０００９】
また廃水を浄化処理した中水を供給する中水給水管８も受水槽１に導入し、中水給水管８にも可変式電動弁５を配設し、水供給管６で供給される水量に応じて中水給水管８の可変式電動弁５の開度を制御するようにしたことを特徴とすることも好ましい。この場合、廃水を浄化した中水も受水槽１に給水して利用でき、水道水の使用量を一層抑えることができる。
【００１０】
【発明の実施の形態】
まず、本発明の概要を図１により説明する。受水槽１は所定量の水を溜めることができるようになっているが、この受水槽１には地下水や水道水が給水されて溜められるようになっている。この受水槽１には一定の水位になるように水が溜められるようになっている。施設に水を供給する場合、受水槽１に溜めた水が供給されるが、この施設に供給する水の水量が監視され、施設に供給する水量に応じた水量の地下水、水道水が受水槽１に給水され、受水槽１の水位が一定に保たれるようになっている。例えば、Ｆｘの水量の水が施設に供給されたとき、Ｆｙの水量の地下水が受水槽１に給水され、Ｆｘ−Ｆｙの水量の水道水が受水槽１に給水されて受水槽１の水位の変動が少なく水位が略一定に保たれるようになっている。
【００１１】
このように受水槽１から施設に供給する水量を監視してこの水量に応じて地下水や水道水を受水槽１に給水するために受水槽１の水位の変動が少なく、ポンプ２にて施設に水を供給するとき必要とする箇所に必要なだけ安定よく供給できる。このとき受水槽１に地下水を主に供給するようにすると、水道水の使用量を少なくして水道量料金を抑えることができる。
【００１２】
次に本発明の具体的な構造を図２によりさらに詳細に説明する。受水槽１には地下水給水管３や水道水給水管４を導入してあり、地下水や水道水を給水して溜めることができるようになっている。地下水は深井戸のような井戸からポンプで汲み上げられ、濾過等の浄水処理がされ、ポンプで地下水給水管３に供給されるようになっている。水道水給水管４は公共の市水の水道管と連結されている。地下水給水管３や水道水給水管４には夫々可変式電動弁５が配置されており、可変式電動弁５の開閉や開度を操作して給水の停止や給水量の調整ができるようになっている。この受水槽１から施設に水を供給する水供給管６を導出してあり、水供給管６にはポンプ２を配置してあり、ポンプ２を駆動することで受水槽１に溜めた水を供給できるようになっている。また水供給管６には流量計７を配置してあり、水供給管６で供給される水量を測定できるようになっている。
【００１３】
上記水供給管６は複数箇所に水を供給するために複数本並設してあり、例えば本例の場合６本の水供給管６ａ，６ｂ，６ｃ，６ｄ，６ｅ，６ｆがある。そして各水供給管６ａ，６ｂ，６ｃ，６ｄ，６ｅ，６ｆに夫々ポンプ２ａ，２ｂ，２ｃ，２ｄ，２ｅ，２ｆや流量計７ａ，７ｂ，７ｃ，７ｄ，７ｅ，７ｆを配置してある。流量計７ａ，７ｂ，７ｃ，７ｄ，７ｅ，７ｆで測定した流量は演算器９にて演算されるようになっている。地下水給水管３や水道水給水管４の可変式電動弁５には夫々電動弁制御部１０が設けられており、演算器９からの信号にて電動弁制御部１０を介して可変式電動弁５の開閉制御が行われるようになっている。
【００１４】
受水槽１に一定水位まで水が溜められた状態で適宜のポンプ２ａ，２ｂ，２ｃ，２ｄ，２ｅ，２ｆが駆動されて適宜の水供給管６ａ，６ｂ，６ｃ，６ｄ，６ｅ，６ｆを介して水が供給されるが、このとき流量計７ａ，７ｂ，７ｃ，７ｄ，７ｅ，７ｆで各水量が測定される。各流量計７ａ，７ｂ，７ｃ，７ｄ，７ｅ，７ｆで測定した流量が演算器９に入力され、総水供給量Ｆｘ（Ｆｘ＝Ｆａ＋Ｆｂ＋Ｆｃ＋Ｆｄ＋Ｆｅ＋Ｆｆ）が求められる。総水供給量Ｆｘに応じて地下水給水管３や水道水給水管４の可変式電動弁５が電動弁制御部１０で制御されて地下水や水道水が総水供給量Ｆｘと同じ量だけ受水槽１に給水される。このとき、総給水量Ｆｘに応じた水量Ｆｙの地下水が受水槽１に給水されると共にＦｘ−Ｆｙの水量の水道水が受水槽１に給水される。これにより、受水槽１の水位が変動しないように一定の水位に保たれ、必要な箇所に必要な水量を安定よく供給することができる。
【００１５】
また図３の例では受水槽１に地下水や水道水以外に廃水を浄化した中水も給水できるようになっている。つまり、受水槽１に地下水給水管３や水道水給水管４以外に中水給水管８を導入してあり、中水給水管８に可変式電動弁５を配置してあり、可変式電動弁５が電動弁制御部１０で制御されるようになっている。この場合、受水槽１から水を施設に供給するとき、この水供給量に応じて地下水、水道水以外に中水も供給され、中水も有効利用することができる。
【００１６】
なお、上記のように水供給管６を介して供給する水の用途は、冷却水、トイレの洗浄水、掃除用の水、プール用の水等である。
【００１７】
【発明の効果】
本発明の請求項１の発明は、叙述の如く受水槽から施設に供給する水量を監視し、この施設に供給する水量と同じ水量の水を受水槽に給水するように地下水や水道水等の水の給水量を制御するので、受水槽から施設に供給する水量を監視してこの水量に応じて地下水や水道水を受水槽に給水するために受水槽の水位の変動が少なく、ポンプにて施設に水を供給するとき必要とする箇所に必要なだけ安定よく供給できるものであり、この際、受水槽に地下水を主に供給するようにすると、水道水の使用量を少なくして水道量料金を抑えることができるものである。
【００１８】
また本発明の請求項２の発明は、受水槽に少なくとも地下水を給水する地下水給水管と水道水を給水する水道水給水管とを導入し、地下水給水管及び水道水給水管に夫々流量を制御する可変式電動弁を配設し、受水槽に溜めた水を施設に供給するための水供給管を受水槽から導出し、水供給管に水を送水するポンプと水供給管を流れる水量を検知する流量計を配置し、水供給管で供給される水量と同じ水量の水が受水槽に供給されるように地下水給水管及び水道水給水管の可変式電動弁の開度を制御するようにしたので、ポンプを駆動して水供給管にて施設に水を供給するとき供給する水の水量が流量計で検知され、この水量に応じて地下水給水管や水道水給水管の可変式電動弁の開度が調整されて給水され、受水槽の水位が一定に保たれるものであって、これにより受水槽の水位変動が少なく、ポンプにて施設に水を供給するとき必要とする箇所に必要なだけ安定よく供給できるものであり、この際、地下水給水管から主に地下水を供給するように制御すると、水道水の使用量を少なくして水道料金を抑えることができるものである。
【００１９】
また本発明の請求項３の発明は、請求項２において、廃水を浄化処理した中水を供給する中水給水管も受水槽に導入し、中水給水管にも可変式電動弁を配設し、水供給管で供給される水量に応じて中水給水管の可変式電動弁の開度を制御するようにしたので、廃水を浄化した中水も受水槽に給水して利用でき、水道水の使用量を一層抑えることができるものである。
【図面の簡単な説明】
【図１】本発明の水の供給システムの概略図である。
【図２】同上の具体的な一例を示す管路図である。
【図３】同上の他の例を示す管路図である。
【図４】従来例を説明する概略図である。
【符号の説明】
１　受水槽
２　ポンプ
３　地下水給水管
４　水道水給水管
５　可変式電動弁
６　水供給管
７　流量計
８　中水給水管
【図１】
2004011309.tif 000003
【図２】
2004011309.tif 000004
【図３】
2004011309.tif 000005
【図４】
2004011309.tif 000006